(57)【特許請求の範囲】
【請求項１】
防寒衣服に用いる防寒素材であって、
前記防寒衣服の表地を構成する又は前記表地の内側に配置される生地を構成する表側生地と、
前記表側生地の裏側に配置される裏側生地と、
前記表側生地と前記裏側生地との間に空間を形成する２つの区画部材と、
前記空間に収納される羽毛又は羽根からなる充填材と、
前記表側生地又は前記裏側生地に設けられた通気孔を塞ぐように配置された通気性部材と、
前記通気性部材において少なくとも前記通気孔に対向する部位での通気を阻止するように前記通気性部材に固定された封止部材と、を備え、
前記通気性部材は、前記封止部材が固定された部位以外での通気を許容する、防寒素材。
【請求項２】
前記通気性部材は、不織布、織物、編み物、ダブルラッセル編み地又は発泡材で構成されている、請求項１に記載の防寒素材。
【請求項３】
前記封止部材は、樹脂製のフィルムを有している、請求項１又は２に記載の防寒素材。
【請求項４】
前記通気性部材は、通気層と、前記通気層の一面側に位置するとともに前記通気孔が設けられた前記表側生地又は前記裏側生地に接着され且つ前記通気層よりも通気性の劣る内層と、前記通気層の他面側に位置し且つ前記通気層よりも通気性の劣る外層と、を含み、
前記内層を通して前記通気孔と前記通気層との間で通気する、請求項１から３の何れか１項に記載の防寒素材。
【請求項５】
前記通気性部材は、前記通気孔の周囲において前記表側生地又は前記裏側生地に接着されている、請求項１から４の何れか１項に記載の防寒素材。
【請求項６】
前記通気性部材及び前記封止部材は、前記空間内に配置されている、請求項１から５の何れか１項に記載の防寒素材。
【請求項７】
防寒衣服に用いる防寒素材であって、
前記防寒衣服の表地を構成する又は前記表地の内側に配置される生地を構成する表側生地と、
前記表側生地の裏側に配置される裏側生地と、
前記表側生地と前記裏側生地との間に空間を形成する２つの区画部材と、
前記空間に収納される羽毛又は羽根からなる充填材と、
通気性を有する材質で構成され、前記表側生地又は前記裏側生地に設けられた通気孔を塞ぐように配置された通気性部材と、を備え、
前記通気性部材は、１ｍｍ以上の厚みの不織布又は発泡材で構成されている、防寒素材。
【発明の詳細な説明】
【技術分野】
【０００１】
本発明は、防寒素材に関する。
【背景技術】
【０００２】
従来、下記特許文献１及び２に開示されているように、防寒衣服に用いられる防寒素材が知られている。この種の防寒素材では、第１の生地と第２の生地とが複数の帯状の部材で連結され、隣り合う帯状の部材によって区画された空間に羽毛、羽根等の充填材が詰められた構成となっている。このため、保温性が確保される。このような防寒衣服では、保温性を確保することを目的としているため、帯状の部材で区画された空間内の空気が漏れ出ないように、第１の生地及び第２の生地は通気性の低い生地で構成される。【０００３】
このように防寒素材では、前記空間内の空気が抜け難いため、クリーニング時等のように熱がかかるときには、前記空間内の空気の膨張により、防寒衣服が膨張することがある。このため、必要なときには前記空間内の空気を逃したい、との要望がある。しかしながら、空気を逃がす機構を設けると、空間内の充填材が抜け出てしまう。
【先行技術文献】
【特許文献】
【０００４】
【特許文献１】特許第６２２６７０３号公報
【特許文献２】特許第６２４７４３１号公報
【発明の概要】
【０００５】
本発明の目的は、表側生地と裏側生地との間の空間の内外での通気を許容しつつ、前記空間内の充填材が抜け出ないようにすることである。
【０００６】
本発明の一局面に係る防寒素材は、防寒衣服に用いる防寒素材であって、前記防寒衣服の表地を構成する又は前記表地の内側に配置される生地を構成する表側生地と、前記表側生地の裏側に配置される裏側生地と、前記表側生地と前記裏側生地との間に空間を形成する２つの区画部材と、前記空間に収納される羽毛又は羽根からなる充填材と、前記表側生地又は前記裏側生地に設けられた通気孔を塞ぐように配置された通気性部材と、前記通気性部材において少なくとも前記通気孔に対向する部位での通気を阻止するように前記通気性部材に固定された封止部材と、を備える。前記通気性部材は、前記封止部材が固定された部位以外での通気を許容する。
【０００７】
本発明の他の一局面に係る防寒素材は、防寒衣服に用いる防寒素材であって、前記防寒衣服の表地を構成する又は前記表地の内側に配置される生地を構成する表側生地と、前記表側生地の裏側に配置される裏側生地と、前記表側生地と前記裏側生地との間に空間を形成する２つの区画部材と、前記空間に収納される羽毛又は羽根からなる充填材と、通気性を有する材質で構成され、前記表側生地又は前記裏側生地に設けられた通気孔を塞ぐように配置された通気性部材と、を備える。前記通気性部材は、１ｍｍ以上の厚みの不織布又は発泡材で構成されている。
【図面の簡単な説明】
【０００８】
【図１】防寒素材の斜視図である。
【図２】防寒素材が用いられた後ろ身頃の図である。
【図３】防寒素材に用いられる区画部材の概略図である。
【図４】区画部材に設けられる通気層の変形例である。
【図５】（ａ）防寒素材に用いられる通気部を説明するための図であり、（ｂ）（ｃ）空気の流れを説明するための図である。
【図６】前記通気部に設けられた通気性部材を説明するための図である。
【図７】表側生地及び裏側生地がそれぞれ一層の場合において、通気部が表側生地に取り付けられたときの防寒素材の図である。
【図８】表側生地が二層で裏側生地が一層の場合において、（ａ）通気部が表側内生地に取り付けられたときの防寒素材の図であり、（ｂ）通気部が表地に取り付けられたときの防寒素材の図である。
【図９】表側生地及び裏側生地がそれぞれ二層の場合において、（ａ）通気部が表側内生地に取り付けられたときの防寒素材の図であり、（ｂ）通気部が表地に取り付けられたときの防寒素材の図である。
【図１０】表側生地及び裏側生地がそれぞれ一層の場合において、通気部が裏側生地に取り付けられたときの防寒素材の図である。
【図１１】表側生地が一層で裏側生地が二層の場合において、（ａ）通気部が裏側内生地に取り付けられたときの防寒素材の図であり、（ｂ）通気部が裏地に取り付けられたときの防寒素材の図である。
【図１２】表側生地及び裏側生地がそれぞれ二層の場合において、（ａ）通気部が裏側内生地に取り付けられたときの防寒素材の図であり、（ｂ）通気部が裏地に取り付けられたときの防寒素材の図である。
【図１３】通気部の変形例を説明する図である。
【図１４】通気部の他の変形例を説明する図である。
【図１５】区画部材が折れ曲がった形状である場合の防寒素材の図である。
【図１６】区画部材が折れ曲がった形状である他の場合の防寒素材の図である。
【図１７】第２実施形態に係る防寒素材を説明するための図である。
【実施形態】
【０００９】
以下、添付図面を参照しながら、実施の形態について説明する。なお、以下の実施の形態は、本発明を具体化した一例であって、本発明の技術的範囲を限定する性格のものではない。
【００１０】
（第１実施形態）
図１に示す防寒素材１０は、保温性を有する防寒衣服の要素として用いられる素材である。防寒衣服は、例えば、ジャケット、ベスト、パンツ、コート、ブルゾン、パーカー等の衣服であって、保温性に優れた衣服である。防寒素材１０は、例えば図２に示すように、ジャケットの後ろ身頃１として構成されてもよい。なお、図１は、後ろ身頃１を構成する防寒素材１０の一部のみを描いている。防寒素材１０は、後ろ身頃１を構成するように形成されるのではなく、前身頃、脇見頃、袖、襟等を構成するように形成されてもよい。また、防寒素材１０は、パンツの股上、股下を構成するように形成されていてもよい。
【００１１】
図１に示すように、防寒素材１０は、表側生地１２と裏側生地１４と少なくとも２つの区画部材１６，１６と充填材１８とを備える。
【００１２】
表側生地１２は、防寒衣服の表地（外地）を構成してもよく、これに代えて、前記表地の内側に配置される内生地（例えばダウンパックを構成する生地）を構成してもよい。表側生地１２は、通気性がない合成繊維又は通気性がほとんどない（又は低通気度の）合成繊維によって構成されている。つまり、表側生地１２は、通気度が１ｃｃ／ｃｍ２／ｓｅｃ以下の生地で構成される。
【００１３】
裏側生地１４は、表側生地１２の内側に配置される生地であり、例えば防寒衣服の裏地によって構成されている。ただし、裏側生地１４は、防寒衣服の裏地によって構成されていなくてもよい。例えば、裏側生地１４は、防寒衣服において裏地の内側に位置する内生地（例えば、防寒衣服が４層構造の場合には、外側から３層目の生地であり、例えばダウンパックを構成する生地）によって構成されていてもよい。裏側生地１４は、通気性がない合成繊維又は通気性がほとんどない（又は低通気度の）合成繊維によって構成されている。つまり、裏側生地１４は、通気度が１ｃｃ／ｃｍ２／ｓｅｃ以下の生地で構成されている。
【００１４】
２つの区画部材１６，１６はそれぞれ、表側生地１２と裏側生地１４とを連結する部材であって、一方向に長い帯状に形成されている。２つの区画部材１６，１６は、互いに平行に並んだ状態で直線状に延びる。しかしながら、この形態に限られるものではなく、各区画部材１６は曲がっていてもよく、また、互いに平行でなくても良い。
【００１５】
区画部材１６の表側面１６ａ（すなわち、前記一方向に直交する面の内の１つの面）は表側生地１２に接着されている。区画部材１６において表側面１６ａとは反対側を向く裏側面１６ｂは、裏側生地１４に接着されている。区画部材１６と表側生地１２との間の接着は、熱可塑性接着剤（ホットメルト）、溶剤系接着剤、湿気硬化型接着剤、ＵＶ硬化型接着剤、又はアクリル接着剤（架橋しない粘着剤）を用いて接着されている。区画部材１６と裏側生地１４との間の接着も同様である。
【００１６】
２つの区画部材１６，１６が表側生地１２と裏側生地１４とに結合されることにより、表側生地１２、裏側生地１４及び２つの区画部材１６，１６によって空間２０が形成される。つまり、２つの区画部材１６，１６はそれぞれ、表側生地１２と裏側生地１４との間に、閉じた空間２０を形成するための部材である。
【００１７】
各区画部材１６は、柔軟な素材で形成されている。ただし、各区画部材１６は、表側生地１２又は裏側生地１４の重みによっては表側面１６ａと裏側面１６ｂとの間の間隔を狭めるように変形しない程度の柔らかさを有する。つまり、各区画部材１６は、表側生地１２又は裏側生地１４の重みによって潰れたり、折れ曲がったりしない程度の強度を有しているため、空間２０内に充填材１８が充填されていない状態のときでも、区画部材１６近傍の表側生地１２と裏側生地１４との間の間隔は縮まらない。
【００１８】
各区画部材１６は、通気性を有している。このため、空気が区画部材１６を通過できるため、区画部材１６を通して隣り合う空間２０間で空気が流通できる。
【００１９】
充填材１８は、空間２０に収納される。充填材１８は、羽毛（ダウン）又は羽根（フェザー）からなり、空間２０に閉じ込められることにより、防寒素材１０が保温性を発揮するのに寄与する素材である。
【００２０】
図３に示すように、各区画部材１６は、ダブルラッセル編み地からなる。すなわち、区画部材１６は、表地２４と裏地２５と通気層２６とを含む三層構造に構成されている。表地２４の表面は区画部材１６の表側面１６ａを形成し、裏地２５の裏面は区画部材１６の裏側面１６ｂを形成している。表地２４の表面は表側生地１２に接着され、裏地２５の裏面は裏側生地１４に接着される。そして、通気層２６は、表地２４の裏面に結合されるとともに、裏地２５の表面に結合されている。
【００２１】
表地２４及び裏地２５はそれぞれ、例えばナイロンとポリウレタンの混紡生地（織物）で構成されていてもよく、あるいはポリエステル生地（織物）で構成されていてもよい。また、表地２４と裏地２５とは、互いに異なる生地で構成されていてもよい。
【００２２】
通気層２６は、区画部材１６において通気性を確保する部分であり、表地２４と裏地２５との間に位置している。通気層２６は、編み物２６ａで構成されている。この編み物２６ａは表地２４及び裏地２５に編み込まれている。このため、表地２４は通気層２６から容易に剥がれず、また、裏地２５も通気層２６から容易に剥がれない。
【００２３】
なお、区画部材１６は、ダブルラッセル編み地よって構成される形態に限られない。例えば、通気層２６が編み物２６ａで構成された構成に代え、発泡材２６ｂによって構成されていてもよい。この場合、直方体形状の発泡材２６ｂによって構成され、発泡材２６ｂは表地２４及び裏地２５に接着される。また、図４に示すように、発泡材２６ｂの表面及び裏面にそれぞれラミネート層２６ｃ、２６ｄが接着されていてもよく、この表側のラミネート層２６ｃに表地２４が接着され、裏側のラミネート層２６ｄに裏地２５が接着されていてもよい。また、通気層２６が不織布によって構成されてもよい。
【００２４】
区画部材１６は、ダブルラッセル編み地ではなく、発泡材によって構成されていてもよい。
【００２５】
防寒素材１０においては、空間２０内が換気されるのが望ましい。このため、図１及び図５（ａ）に示すように、防寒素材１０は、空間２０の内外で通気させるための通気部３０を備えている。すなわち、空間２０の空気を防寒素材１０の外部に逃がせるように、あるいは、空間２０内に外気が取り込めるように、防寒素材１０には通気部３０が設けられている。ただし、通気部３０は、空間２０内の空気が外部に漏れ出る際に、充填材１８が空間２０から抜け出ないように構成されている。
【００２６】
図１及び図５（ａ）は、表側生地１２に通気部３０が配置された構成を示しているが、通気部３０は裏側生地１４に配置されていてもよい。また、各空間２０にそれぞれ通気部３０が設けられてもよいが、複数の空間２０に対して１つ通気部３０が設けられてもよい。また、図１及び図５（ａ）は通気部３０が空間２０内に配置された構成を示しているが、通気部３０は空間２０の外側に配置されていてもよい。例えば、通気部３０は、表側生地１２の表側に配置されてもよく、裏側生地１４の裏側に配置されてもよい。
【００２７】
図５（ａ）に示すように、通気部３０は、通気性部材３１と封止部材３２とを有する。通気性部材３１は、通気性を有する材質であり、表側生地１２に設けられた通気孔３５を塞ぐように配置されている。このため、空間２０内の空気は通気孔３５及び通気性部材３１を通して外部に流出する。封止部材３２は、通気しない材質であり、通気性部材３１による通気性を確保しつつ、通気孔３５に対向する位置での通気を阻止する。
【００２８】
図６に示すように、通気性部材３１は、ダブルラッセル編み地からなる。すなわち、通気性部材３１は、内層３１ａと外層３１ｂと通気層３１ｃとを含む三層構造に構成されている。内層３１ａは通気孔３５が形成された表側生地１２に接着される内面（生地側面）を形成し、外層３１ｂは通気性部材３１の外面（反対側面）３１ｅを形成している。内層３１ａと表側生地１２との間には接着剤層３７が存在している。ただし、接着剤層３７は、通気孔３５を塞いでおらず、通気孔３５の周囲に形成されている。つまり、接着剤層３７を表側生地１２に固定した後で、接着剤層３７側から表側生地１２に通気孔３５を形成する加工を施すため、接着剤層３７にも孔が形成され、接着剤層３７が通気孔３５を塞がないように形成できる。なお、通気孔３５が裏側生地１４に形成される場合には、内層３１ａは裏側生地１４に接着される。
【００２９】
内層３１ａ及び外層３１ｂはそれぞれ、例えばナイロンとポリウレタンの混紡生地（織物）で構成されていてもよく、あるいはポリエステル生地（織物）で構成されていてもよい。また、内層３１ａと外層３１ｂとは、互いに異なる生地で構成されていてもよい。何れの場合でも、内層３１ａ及び外層３１ｂは通気性を有する。
【００３０】
通気層３１ｃは、内層３１ａと外層３１ｂとの間に位置しており、通気性部材３１の外周面（図５（ａ）における外周側面）３１ｄに露出している。通気層３１ｃは、編み物で構成されている。このため、通気層３１ｃは、内層３１ａ及び外層３１ｂよりも高い通気性を有している。つまり、内層３１ａ及び外層３１ｂは通気層３１ｃに比べて通気性に劣る。内層３１ａが接着剤層３７を介して表側生地１２に接着される一方で、この内層３１ａに通気層３１ｃが結合される構成であるため、通気層３１ｃによって通気性部材３１の通気性を確保しつつ、内層３１ａによる表側生地１２への接着力を確保できる。このため、通気性部材３１自体が不織布で構成される場合に比べて、通気性部材３１の接着力を向上できるたけでなく、長期間使用した場合でも表側生地１２への通気性部材３１の接着力を維持することができる。
【００３１】
編み物は内層３１ａ及び外層３１ｂに編み込まれている。このため、内層３１ａは通気層３１ｃから容易に剥がれず、また、外層３１ｂも通気層３１ｃから容易に剥がれない。なお、通気層３１ｃは、内層３１ａに接着されてもよく、また外層３１ｂに接着されてもよい。すなわち、通気層３１ｃは、内層３１ａに結合されるとともに外層３１ｂにも結合される。
【００３２】
なお、通気性部材３１は、ダブルラッセル編み地よって構成される形態に限られない。例えば、通気層３１ｃが編み物に代えて発泡材によって構成されていてもよい。すなわち、通気性部材３１は、内層３１ａ、発泡材からなる通気層３１ｃ及び外層３１ｂの三層構造であってもよい。この場合、発泡材は内層３１ａ及び外層３１ｂに接着される。
【００３３】
また、通気層３１ｃが編み物に代えて織物によって構成されてもよく、あるいは、通気層３１ｃが不織布によって構成されてもよい。通気層３１ｃが織物によって構成される場合には、この織物は、内層３１ａ及び外層３１ｂよりも目が粗いことが好ましい。この場合、織物及び不織布は、内層３１ａ及び外層３１ｂに接着されてもよい。
【００３４】
また、通気性部材３１は、不織布、織物、編み物又は発泡材によって構成されていてもよい。
【００３５】
封止部材３２は、通気性部材３１と同じ大きさを有しており、通気性部材３１の外面３１ｅ、すなわち、通気性部材３１において、通気孔３５が形成された表側生地１２とは反対側を向く面に固定されている。このため、通気性部材３１の外面３１ｅの全体が封止部材３２によって覆われている。すなわち、通気性部材３１において通気孔３５に対向する部位における通気は、封止部材３２によって阻止されている。一方、通気性部材３１の外周面３１ｄ（図６における側面）は封止部材３２によって覆われていない。このため、通気性部材３１の外周面３１ｄにおける通気は許容されている。すなわち、通気性部材３１は、通気孔３５が向く方向とは交差する方向に向けて露出することにより、この方向の通気が許容されている。したがって、図５（ｂ）に示すように、通気孔３５を通過した空気３８の流れの向きは、封止部材３２によって折り曲げられる。通気性部材３１は、外周面３１ｄの全体が露出しているため、周方向の全体において通気可能となっている。なお、図５（ｃ）に示すように、通気性部材３１及び封止部材３２は平面視で円形状に形成されてもよい。ただし、円形状に限られるものではない。
【００３６】
封止部材３２は、針穴を塞いで防水するためのシームテープによって構成することができ、樹脂フィルムと接着層とを有する部材である。樹脂フィルムは、ポリウレタン、ナイロン、ポリエステル等の樹脂製のフィルムである。接着層は、熱可塑性接着剤（ホットメルト）、溶剤系接着剤、湿気硬化型接着剤、ＵＶ硬化型接着剤、又はアクリル接着剤（架橋しない粘着剤）で構成される。なお、封止部材３２は、硬化した接着剤によって構成されていてもよい。
【００３７】
図１の例では、通気部３０は、表側生地１２に設けられる。すなわち、図７に示すように、防寒素材１０の表側生地１２及び裏側生地１４がそれぞれ一層であれば、通気部３０は表側生地１２を構成する表地４１に設けられる。また、図８（ａ）（ｂ）及び図９（ａ）（ｂ）に示すように、充填材１８の表側に表地４１及びその内側の表側内生地４２が存在する場合には、通気部３０は、表地４１又は表側内生地４２に設けられる。つまり、表地４１又は表側内生地４２が表側生地１２として機能する。なお、図８（ａ）（ｂ）は、充填材１８の裏側が一層であり、図９（ａ）（ｂ）は、裏側が二層の場合である。図８（ａ）及び図９（ａ）のように、通気部３０が、表側生地１２として機能する表側内生地４２に設けられる場合には、表地４１に制約がかからないため、意匠的に優位となる。一方、図７、図８（ｂ）及び図９（ｂ）のように通気部３０が表地４１に設けられる場合でも、通気性は確保される。なお、図８（ｂ）及び図９（ｂ）の場合、表側内生地４２は、通気性のある生地で構成され、表側生地１２として機能する表地４１は、通気性がないか、通気性がほとんどない生地で構成される。何れの場合でも、通気部３０は空間２０内に配置される。
【００３８】
図１０から図１２（ｂ）に示すように、通気部３０は裏側生地１４に設けられてもよい。すなわち、図１０に示すように、表側生地１２及び裏側生地１４がそれぞれ一層であれば、通気部３０は裏側生地１４を構成する裏地４５に設けられる。また、図１１（ａ）（ｂ）及び図１２（ａ）（ｂ）に示すように、充填材１８の裏側に裏地４５及びその内側の裏側内生地４６が存在する場合には、通気部３０は、裏地４５又は裏側内生地４６に設けられる。つまり、裏地４５又は裏側内生地４６が裏側生地１４として機能する。なお、図１１（ａ）（ｂ）は、充填材１８の表側が一層であり、図１２（ａ）（ｂ）は表側が二層の場合である。通気部３０が裏側生地１４に設けられる場合でも、通気性は確保される。また、図１０の構成では、空間２０に防寒衣服の内側から暖かな空気が流入するので、空間２０内が暖まり易い。また、図１１（ａ）及び図１２（ａ）の構成では、裏側生地１４として機能する裏側内生地４６は、通気性がないか、通気性がほとんどない生地で構成される。裏地４５に通気度の高い生地が使用されれば、空間２０内に防寒衣服の内側から暖かな空気が流入するので、空間２０内が暖まり易い。なお、図１１（ｂ）及び図１２（ｂ）の場合、裏側内生地４６は、通気性のある生地で構成され、裏側生地１４として機能する裏地４５は、通気性がないか、通気性がほとんどない生地で構成される。何れの場合でも、通気部３０は空間２０内に配置される。
【００３９】
以上説明したように、本実施形態によれば、表側生地１２と裏側生地１４との間で２つの区画部材１６によって区画された空間２０が通気孔３５及び通気性部材３１を通して空間２０外部との間で通気する。このため、通気孔３５からの空気３８は通気性部材３１を通して外部に漏れ出ることができる。このとき、通気性部材３１においては、封止部材３２が固定された部位以外の部位を通して通気する。一方、外部の空気は封止部材３２以外のところから通気性部材３１を通して通気孔３５内に進入できる。すなわち、通気部３０を通して通気するため、防寒素材１０に設けられている縫い目に圧力がかかり難くなり、その結果、縫い目から充填材１８が抜け出ることも抑制できる。
【００４０】
通気性部材３１には、少なくとも通気孔３５に対向する部位での通気を阻止するように封止部材３２が固定されている。このため、通気孔３５から流出する空気３８は、図５（ｂ）に示すように、通気孔３５から真っ直ぐ進むのではなく、封止部材３２によって流れの向きを変えてから外部に漏れ出る。このため、空間２０内の充填材１８は、通気孔３５及び通気性部材３１を通して突き抜けようとしても封止部材３２に当たるため、通気性部材３１から抜け出ることができない。したがって、空間２０の内側と外側との間の通気を許容できる一方で、羽毛又は羽根からなる充填材１８が外部に抜け出ることを防止できる。
【００４１】
また、封止部材３２が樹脂製のフィルムを有しているため、通気孔３５が設けられた表側生地１２又は裏側生地１４からの出っ張りを抑制しつつ、通気孔３５に対向する位置での通気を阻止できる。
【００４２】
また、通気性部材３１が、内層３１ａ、通気層３１ｃ及び外層３１ｂを有する三層構造であるため、通気孔３５と通気層３１ｃとの間で通気を許容する内層３１ａにより、表側生地１２（又は裏側生地１４）に対する通気性部材３１の接着の強度が確保される。また、通気層３１ｃが通気性部材３１の外周面３１ｄに露出しているため、当該外周面３１ｄにおいて通気する。
【００４３】
通気性部材３１は、通気孔３５の周囲において表側生地１２又は裏側生地１４に接着されているため、通気孔３５が設けられた表側生地１２又は裏側生地１４と通気性部材３１との間に接着剤層３７が設けられたとしても、通気孔３５の通気が確保される。
【００４４】
また通気部３０が空間２０内に配置されるため、表側生地１２又は裏側生地１４に対して通気性部材３１及び封止部材３２が突出しない。
【００４５】
なお、本実施形態では、封止部材３２が通気性部材３１の外面３１ｅ（通気孔３５が形成された表側生地１２とは反対側を向く面）の全体を覆っているが、これに限られるものではない。例えば、封止部材３２は、通気性部材３１の外面３１ｅの一部のみを覆ってもよい。ただし、図１３に示すように、通気孔３５に対向する部位（通気孔３５と同じ大きさの部位）を含むように配置されている必要がある。この構成では、外面３１ｅの全体を覆う構成に比べて、通気性を上げることができる。しかも、通気孔３５から抜け出ようとする空気３８の流れる向きが封止部材３２によって折り曲げられるため、充填材１８は通気性部材３１から抜け出にくい。
【００４６】
また、封止部材３２は、図１４に示すように、通気性部材３１の外周面３１ｄを覆う外周部３２ａと、通気性部材３１の外面３１ｅの一部のみを覆う外面部３２ｂと、を有するように構成されていてもよい。この場合、外面部３２ｂは、通気孔３５に対向する部位（通気孔３５と同じ大きさの部位）を含むように配置されている。
【００４７】
また、本実施形態では、区画部材１６が、折れ曲がっていない断面を有する部材で構成されているが、これに限られない。例えば、図１５及び図１６に示すように、区画部材１６は、隔壁部１６ｄと、隔壁部１６ｄから折れ曲がるように隔壁部１６ｄの一端部から延びて表側生地１２に接着される表側部１６ｅと、隔壁部１６ｄから折れ曲がるように隔壁部１６ｄの他端部から延びて裏側生地１４に接着される裏側部１６ｆと、を有する構成であってもよい。図１５は、表側部１６ｅ及び裏側部１６ｆが同じ方向に折れ曲がった形態を示し、図１６は、表側部及び裏側部が反対向きに折れ曲がった形態を示している。
【００４８】
（第２実施形態）
図１７は本発明の第２実施形態を示す。尚、ここでは第１実施形態と同じ構成要素には同じ符号を付し、その詳細な説明を省略する。
【００４９】
第１実施形態では、通気性部材３１と封止部材３２とを有する通気部３０が設けられている。これに対し、第２実施形態では、封止部材３２を有しておらず、通気性部材５０自体により、充填材１８が抜け出ることを防止する構造である。
【００５０】
通気性部材５０は、表側生地１２に設けられた通気孔３５を塞ぐように配置されている。通気性部材５０と表側生地１２との間には接着剤層３７が存在している。ただし、接着剤層３７は、通気孔３５を塞いでおらず、通気孔３５の周囲に形成されている。なお、通気孔３５が裏側生地１４に形成される場合には、通気性部材５０は裏側生地１４に接着される。通気性部材５０は、図７から図１２（ｂ）に示す、通気部３０が配置される位置に配置可能である。
【００５１】
通気性部材５０は、１ｍｍ以上の厚みの不織布又は発泡材で構成されている。このため、通気するものの通気性は高くないため、充填材１８が、通気性部材３１を通過し難くなる。通気性部材５０の外面５０ｅ及び外周面５０ｄには封止部材３２が設けられておらず、外面５０ｅ及び外周面５０ｄは露出しているが、羽毛又は羽根からなる充填材１８が外部に抜け出ることを防止できる。なお、通気性部材５０の厚みは、３ｍｍ以下であってもよい。
【００５２】
第１実施形態では、封止部材３２が設けられているため、通気性部材３１の厚みが１ｍｍ未満であっても、充填材１８が抜け出ることを防止できる。
【００５３】
なお、その他の構成、作用及び効果はその説明を省略するが、前記第１実施形態の説明を第２実施形態に援用することができる。
【００５４】
（実施形態の概説）
ここで、前記実施形態について概説する。
【００５５】
（１）前記実施形態に係る防寒素材は、防寒衣服に用いる防寒素材であって、前記防寒衣服の表地を構成する又は前記表地の内側に配置される生地を構成する表側生地と、前記表側生地の裏側に配置される裏側生地と、前記表側生地と前記裏側生地との間に空間を形成する２つの区画部材と、前記空間に収納される羽毛又は羽根からなる充填材と、前記表側生地又は前記裏側生地に設けられた通気孔を塞ぐように配置された通気性部材と、前記通気性部材において少なくとも前記通気孔に対向する部位での通気を阻止するように前記通気性部材に固定された封止部材と、を備える。前記通気性部材は、前記封止部材が固定された部位以外での通気を許容する。
【００５６】
前記防寒素材では、表側生地と裏側生地との間で２つの区画部材によって区画された空間が通気孔及び通気性部材を通して空間外部との間で通気する。このため、通気孔からの空気は通気性部材を通して外部に漏れ出ることができる。このとき、通気性部材においては、封止部材が固定された部位以外の部位を通して通気する。一方、外部の空気は封止部材以外のところから通気性部材を通して通気孔内に進入できる。すなわち、通気性部材を通して通気するため、防寒素材に設けられている縫い目に圧力がかかり難くなり、その結果、縫い目から充填材が抜け出ることも抑制できる。
【００５７】
通気性部材には、少なくとも通気孔に対向する部位での通気を阻止するように封止部材が固定されている。このため、通気孔から流出する空気は通気孔から真っ直ぐ進むのではなく、封止部材によって流れの向きを変えてから外部に漏れ出る。このため、空間内の充填材は、通気孔及び通気性部材を通して突き抜けようとしても封止部材に当たるため、通気性部材から抜け出ることができない。したがって、表側生地と裏側生地との間の空間の内外間での通気を許容できる一方で、羽毛又は羽根からなる充填材が外部に抜け出ることを防止できる。
【００５８】
（２）前記通気性部材は、不織布、織物、編み物、ダブルラッセル編み地又は発泡材で構成されていてもよい。この態様では、通気性部材の重量が重くなり過ぎることを抑制しつつ通気性部材の通気性を確保できる。
【００５９】
（３）前記封止部材は、樹脂製のフィルムを有していてもよい。この態様では、封止部材が薄いフィルムを有するため、通気孔が設けられた表側生地又は裏側生地からの出っ張りを抑制しつつ、通気孔に対向する位置での通気を阻止できる。
【００６０】
（４）前記通気性部材は、通気層と、前記通気層の一面側に位置するとともに前記通気孔が設けられた前記表側生地又は前記裏側生地に接着され且つ前記通気層よりも通気性の劣る内層と、前記通気層の他面側に位置し且つ前記通気層よりも通気性の劣る外層と、を含んでもよい。この場合、前記内層を通して前記通気孔と前記通気層との間で通気する。
【００６１】
この態様では、通気孔と通気層との間で通気を許容する内層により、通気孔が設けられた表側生地又は裏側生地に対する通気性部材の接着の強度が確保される。なお、この態様において、通気層が通気性部材の外周面に露出する場合には、当該外周面において通気する構造となる。
【００６２】
（５）前記通気性部材は、前記通気孔の周囲において前記表側生地又は前記裏側生地に接着されていてもよい。この態様では、通気孔が設けられた表側生地又は裏側生地と通気性部材との間に接着剤層が設けられたとしても、通気孔の通気が確保される。
【００６３】
（６）前記通気性部材及び前記封止部材は、前記空間内に配置されていてもよい。この態様では、表側生地又は裏側生地に対して通気性部材及び封止部材が突出しない。
【００６４】
（７）前記第２実施形態に係る防寒素材は、防寒衣服に用いる防寒素材であって、前記防寒衣服の表地を構成する又は前記表地の内側に配置される生地を構成する表側生地と、前記表側生地の裏側に配置される裏側生地と、前記表側生地と前記裏側生地との間に空間を形成する２つの区画部材と、前記空間に収納される羽毛又は羽根からなる充填材と、通気性を有する材質で構成され、前記表側生地又は前記裏側生地に設けられた通気孔を塞ぐように配置された通気性部材と、を備える。前記通気性部材は、１ｍｍ以上の厚みの不織布又は発泡材で構成されている。
【００６５】
前記防寒素材では、表側生地と裏側生地との間で２つの区画部材によって区画された空間が通気孔及び通気性部材を通して空間外部との間で通気する。このため、通気孔からの空気は通気性部材を通して外部に漏れ出ることができる。一方、外部の空気は通気性部材を通して通気孔内に進入できる。通気性部材を通して通気するため、防寒素材に設けられている縫い目に圧力がかかり難くなり、その結果、縫い目から充填材が抜け出ることも抑制できる。ただし、通気性部材が１ｍｍ以上の厚みの不織布又は発泡材で構成されるため、通気度は低く、充填材が抜け出ることを抑制できる。したがって、表側生地と裏側生地との間の空間の内外での通気を許容できる一方で、羽毛又は羽根からなる充填材が外部に抜け出ることを防止できる。
【要約】
防寒素材は、前記防寒衣服の表地を構成する又は前記表地の内側に配置される生地を構成する表側生地と、前記表側生地の裏側に配置される裏側生地と、前記表側生地と前記裏側生地との間に空間を形成する２つの区画部材と、前記空間に収納される羽毛又は羽根からなる充填材と、前記表側生地又は前記裏側生地に設けられた通気孔を塞ぐように配置された通気性部材と、前記通気性部材において少なくとも前記通気孔に対向する部位での通気を阻止するように前記通気性部材に固定された封止部材と、を備える。前記通気性部材は、前記封止部材が固定された部位以外での通気を許容する。【図１】
0006909533.tif 000002
【図２】
0006909533.tif 000003
【図３】
0006909533.tif 000004
【図４】
0006909533.tif 000005
【図５】
0006909533.tif 000006
【図６】
0006909533.tif 000007
【図７】
0006909533.tif 000008
【図８】
0006909533.tif 000009
【図９】
0006909533.tif 000010
【図１０】
0006909533.tif 000011
【図１１】
0006909533.tif 000012
【図１２】
0006909533.tif 000013
【図１３】
0006909533.tif 000014
【図１４】
0006909533.tif 000015
【図１５】
0006909533.tif 000016
【図１６】
0006909533.tif 000017
【図１７】
0006909533.tif 000018